(57)【要約】      （修正有）【課題】本物のダイヤモンドと同様の視覚効果が得られるシート状ダイヤモンドを提供する。【解決手段】ＣＮＣ数値制御技術を利用し、シート状ダイヤモンド１の形状に対応する反射シート２でダイヤモンドのパビリオンとファセットを模擬し、反射効果を有するファセットをカットして取得し、ファセットを有する反射シートをシート状ダイヤモンドの底部に象嵌してシート状ダイヤモンドと一体にする。自然光に照射されると、当該ダイヤモンドは、明らかなダイヤモンドのファイアが生じ、比類のない明るい光を放出する。よって、平凡に見えるローズカットのシート状ダイヤモンドは、本物のダイヤモンド同様の視覚効果が生じ、観賞性と経済的価値がさらに向上する。【選択図】図８
2019022644.tif 000002
【特許請求の範囲】
【請求項１】
パビリオンを有しないシート状ダイヤモンドと、ダイヤモンドのパビリオンを模擬する反射シートと、を備え、上記シート状ダイヤモンドが上記反射シートに嵌め込まれ、反射シートの形状がシート状ダイヤモンドの形状に対応することを特徴とするシート状ダイヤモンド象嵌ジュエリー。
【請求項２】
上記シート状ダイヤモンドは、底面が平らであり、シート状ダイヤモンドの底部は、平らな面であることを特徴とする請求項１に記載のシート状ダイヤモンド象嵌ジュエリー。
【請求項３】
上記シート状ダイヤモンドは、クラウンとガードルからなり、クラウンより上がテーブル面であり、ガードルより下が底面であり、底面より下が上記反射シートであることを特徴とする請求項２に記載のシート状ダイヤモンド象嵌ジュエリー。
【請求項４】
上記シート状ダイヤモンドと反射シートとの間に空洞が形成され、
上記ダイヤモンドのパビリオンを模擬する反射シートには、ダイヤモンドのパビリオンとファセットを模擬する反射面が設けられ、
反射面が空洞に位置し、反射面とシート状ダイヤモンドの底面とで空洞の内壁面を構成することを特徴とする請求項１〜３のいずれか１項に記載のシート状ダイヤモンド象嵌ジュエリー。
【請求項５】
上記空洞がテーパー形状であり、上記反射面がテーパー形状の空洞のテーパー面を構成し、反射シートの中心がテーパー形状の空洞の頂点を構成し、上記シート状ダイヤモンドの底面がテーパー形状の空洞の底面を構成し、反射面が反射シートの中心から放射状に外向きに延びることを特徴とする請求項４に記載のシート状ダイヤモンド象嵌ジュエリー。
【請求項６】
上記反射面が金属反射面であり、反射面の水平面における投影が三角形及び／又は扇形であることを特徴とする請求項５に記載のシート状ダイヤモンド象嵌ジュエリー。
【請求項７】
上記反射面が２つ以上であり、隣接する２つの反射面の間の角度が１２０°〜１４０°であることを特徴とする請求項６に記載のシート状ダイヤモンド象嵌ジュエリー。
【請求項８】
上記反射シートが嵌め込まれたベースをさらに含むことを特徴とする請求項５〜７のいずれか１項に記載のシート状ダイヤモンド象嵌ジュエリー。
【請求項９】
上記ベースがフレームであり、上記反射シートが上記フレームに嵌め込まれ、上記シート状ダイヤモンドが反射シートに嵌め込まれ、シート状ダイヤモンドの一部がフレームの外部まで突出し、上記フレームの正面に第二金属反射面が分布し、第二金属反射面の水平面における投影が三角形または扇形であることを特徴とする請求項８に記載のシート状ダイヤモンド象嵌ジュエリー。
【請求項１０】
上記フレームには、上記シート状ダイヤモンドを固定するための固定爪が設けられ、上記固定爪は、シート状ダイヤモンドの周囲に位置することを特徴とする請求項９に記載のシート状ダイヤモンド象嵌ジュエリー。
【発明の詳細な説明】
【技術分野】
【０００１】
本発明は、ジュエリーに関し、特にシート状ダイヤモンド象嵌ジュエリーに関する。
【背景技術】
【０００２】
現在、市販のローズカットされたダイヤモンドは、原料自身の原因により、シート状で底面が平らであるため、ファイアがなく、ガラスのように平凡なダイヤモンド品種である。それを利用して作製したジュエリーは、非常に少なく、あったとしても人々に人気がない。
【発明の概要】
【課題を解決するための手段】
【０００３】
上記の技術課題を解決するために、本発明は、シート状ダイヤモンド象嵌ジュエリーを提供する。具体的には、当該シート状ダイヤモンド象嵌ジュエリーは、パビリオンを有しないシート状ダイヤモンドと、ダイヤモンドのパビリオンを模擬する反射シートと、を備える。上記シート状ダイヤモンドは、上記反射シートに嵌め込まれる。反射シートの形状は、シート状ダイヤモンドの形状に対応する。
【０００４】
さらに、上記シート状ダイヤモンドは、底面が平らであり、シート状ダイヤモンドの底部は、平らな面である。
【０００５】
さらに、上記シート状ダイヤモンドは、クラウンとガードルとからなる。クラウンより上がテーブル面であり、ガードルより下が底面であり、底面より下が上記反射シートである。
【０００６】
さらに、上記シート状ダイヤモンドと反射シートとの間に空洞が形成される。上記ダイヤモンドのパビリオンを模擬する反射シートには、ダイヤモンドのパビリオンとファセットを模擬する反射面が設けられる。反射面が空洞に位置し、反射面とシート状ダイヤモンドの底面とで空洞の内壁面を構成する。
【０００７】
さらに、上記空洞がテーパー形状を有する。上記反射面がテーパー形状の空洞のテーパー面を構成し、反射シートの中心がテーパー形状の空洞の頂点を構成し、上記シート状ダイヤモンドの底面がテーパー形状の空洞の底面を構成し、反射面が反射シートの中心から放射状に外向きに延びる。
【０００８】
さらに、上記反射面が金属反射面であり、反射面の水平面における投影が三角形及び／又は扇形である。
【０００９】
さらに、上記反射面が２つ以上であり、隣接する２つの反射面の間の角度が１２０°〜１４０°である。
【００１０】
さらに、上記反射シートが嵌め込まれたベースをさらに含む。
【００１１】
さらに、上記ベースがフレームであり、上記反射シートが上記フレームに嵌め込まれ、上記シート状ダイヤモンドが反射シートに嵌め込まれ、シート状ダイヤモンドの一部がフレームの外部まで突出し、上記フレームの正面に第二金属反射面が分布し、第二金属反射面の水平面における投影が三角形または扇形である。
【００１２】
さらに、上記フレームには、上記シート状ダイヤモンドを固定するための固定爪が設けられ、上記固定爪は、シート状ダイヤモンドの周囲に位置する。
【発明の効果】
【００１３】
本発明は、ＣＮＣ数値制御技術を利用し、シート状ダイヤモンドの形状に対応する反射シートでダイヤモンドのパビリオンとファセットを模擬し、反射効果を有するファセットをカットして取得し、ファセットを有する反射シートをシート状ダイヤモンドの底部に象嵌してシート状ダイヤモンドと一体にする。自然光が照射すると、当該ダイヤモンドは、明らかにダイヤモンドのファイアが生じ、比類のない明るい光を放出する。よって、平凡に見えるローズカットのシート状ダイヤモンドは、本物のダイヤモンド同様の視覚効果が生じ、観賞性と経済的価値がさらに向上する。
【００１４】
以下、図面を参照して本発明の具体的な構成について詳細に説明する。
【図面の簡単な説明】
【００１５】
【図１】本発明のシート状ダイヤモンド象嵌ジュエリーの正面図である。
【図２】本発明のシート状ダイヤモンド象嵌ジュエリーの背面図である。
【図３】本発明のシート状ダイヤモンド象嵌ジュエリーの左側面図である。
【図４】本発明のシート状ダイヤモンド象嵌ジュエリーの右側面図である。
【図５】本発明のシート状ダイヤモンド象嵌ジュエリーの底面図である。
【図６】本発明のシート状ダイヤモンド象嵌ジュエリーの平面図である。
【図７】本発明のシート状ダイヤモンド象嵌ジュエリーの斜視図である。
【図８】本発明のシート状ダイヤモンド象嵌ジュエリーの分解斜視図である。
【図９】本発明のシート状ダイヤモンド象嵌ジュエリーのフレームと反射シートの組み合わせ図である。
【図１０】本発明のシート状ダイヤモンド象嵌ジュエリーの分解底面図である。
【発明を実施するための形態】
【００１６】
以下、実施形態および添付図面を参照して、本発明の技術的内容、構成上の特徴、実現しようとする目的及び効果を詳細に説明する。
【００１７】
明細書の図面を参照する。現在、多くのシート状ダイヤモンドが市販されている。このようなダイヤモンドは、全体的にシート状であり、通常のテーパー状ダイヤモンドのパビリオン構造を有さず、同時に通常のダイヤモンドのファイアを有しない。シート状ダイヤモンド自身にファイアを有しない特性に対し、本発明は、シート状ダイヤモンド象嵌ジュエリーを提供する。このようなジュエリーの構造として、具体的に、パビリオンを有しないシート状ダイヤモンド１と、ダイヤモンドのパビリオンを模擬する反射シート２と、を備える。上記シート状ダイヤモンド１は、上記反射シート２に嵌め込まれる。反射シート２の形状は、シート状ダイヤモンド１の形状に対応する。シート状ダイヤモンド１は、シート状であるため、通常のダイヤモンドに有するパビリオン構造を有しないので、通常ダイヤモンドが有するファイアを有しないことが一般的である。これに鑑みて、シート状ダイヤモンド１にパビリオンを有しないという特性に基づき、本発明は、ダイヤモンドのパビリオン模擬構造をこのようなシート状ダイヤモンド１に追設することから出発し、このようなシート状ダイヤモンド１を、ダイヤモンドのパビリオンを模擬することが可能な反射シート２に嵌め込む。反射シート２自身の光反射効果をもって通常のダイヤモンドのパビリオンの反射効果を代替することによって、シート状ダイヤモンドジュエリー構造全体に類似のダイヤモンドファイア効果を持たせ、通常の場合にファイアを有しないシート状ダイヤモンド１でも同様にダイヤモンドのようなファイアを有するようにする。同時に、反射シート２の形状は、シート状ダイヤモンド１の形状に対応することが必要とされる。このような対応は、ダイヤモンドのパビリオンとダイヤモンドのほかの構造との間の対応関係とは同一である。ダイヤモンドの全体構造の各部分が互いに対応しなければならないからこそ、ダイヤモンド全体が好適な光学効果を取得することができることとは同様である。このような具体的な対応は、当業者にとって、特定のシート状ダイヤモンド１に対し、上半分のダイヤモンドファセット構造を有することを基に、それに対応する類似なダイヤモンドのパビリオン構造を具体的に設計することができ、即ちここで対応する反射シート２の形状を設計することができる。例えば、シート状ダイヤモンド１全体が丸いシート状である場合、対応するダイヤモンドのパビリオンを模擬する反射シート２も、自然に円形の反射シート２に設計される。シート状ダイヤモンド１全体が多角形である場合、シート状ダイヤモンド１に対応するために、対応するダイヤモンドのパビリオンを模擬する反射シート２も、自然に多角形の反射シート２に設計される。同時にシート状ダイヤモンド１と反射シート２の大きさは、自然に対応する必要があり、それによってシート状ダイヤモンド１と反射シート２とで形成されるダイヤモンド構造の全体構造が対応構造になり、通常のテーパー状ダイヤモンドを模擬する構造上の特徴を一層達成することができ、最終的に必要とされるダイヤモンドファイア効果を達成することができる。
【００１８】
上記シート状ダイヤモンド１は、底面が平らであり、シート状ダイヤモンド１の底部は、平らな面であり、すなわち、シート状ダイヤモンド１の底面１０を構成することが好ましい。同時に、上記シート状ダイヤモンド１は、全体的にクラウン８とガードル９からなる。クラウン８より上がテーブル面７であり、ガードル９より下が底面１０であり、底面１０より下が上記反射シート２である。シート状ダイヤモンド１自身のシート状構造により、通常のダイヤモンドのようなダイヤモンドのパビリオンを有する角錐構造に加工されることが難しくなる。すると、このようなシート状ダイヤモンド１は、通常のダイヤモンドに有する独特なファイア効果を取得することができず、単に透明な石であり、平らな底面のガラス同然であり、価値が高くない。一方、本発明は、通常のダイヤモンドのパビリオン構造の代わりに、ダイヤモンドのパビリオンに類似する反射効果を有する反射シート２で同等に代替するため、それと組み合わせるシート状ダイヤモンド１の加工時に、通常のダイヤモンドのパビリオンより上の構造のみを加工する必要があり、パビリオンとされる反射シート２とで完全に近いダイヤモンドを形成することができ、対応するファイアを有する。通常のダイヤモンドは、パビリオンより上が基本的にガードルとクラウンからなり、同時にダイヤモンドの上部がテーブル面である。したがって、ここのシート状ダイヤモンド１は、通常のダイヤモンドに類似するクラウンとガードルを有していれば、パビリオンとされる反射シート２と共に、ファイアを有する新しいダイヤモンド構造を構成することができる。
【００１９】
上記シート状ダイヤモンド１と反射シート２との間に空洞が形成され、上記ダイヤモンドのパビリオンを模擬する反射シート２には、ダイヤモンドのパビリオンとファセットとを模擬する反射面３が設けられ、反射面３が空洞に位置し、反射面３とシート状ダイヤモンド１の底面１０とで空洞の内壁面を構成することが好ましい。上述したように、本技術手段のポイントは、反射シート２を増設してパビリオン構造を有しないシート状ダイヤモンド１のパビリオンを代替することである。通常のダイヤモンドのパビリオンは、各ファセットからなるため、通常のダイヤモンドのパビリオンを代替する反射シート２にも反射面３が対応的に設けられ、当該反射面３を直接的に通常のダイヤモンドのパビリオンとファセットと類似または同等なものにすることができる。当業者にとって、通常のダイヤモンドの場合、より優れたダイヤモンドのファイア効果をダイヤモンドに持たせるために、ダイヤモンド加工時に、ダイヤモンドのパビリオンとファセットがダイヤモンドのほかのファセットと対応し、各ファセットに複雑な反射と屈折の対応関係があり、全てのファセットの共同作用によって、ダイヤモンドがはじめて最適なファイア効果を有するようになる。したがって、本発明において、最適なダイヤモンドのファイア効果を取得するために、実際の設計・加工時に、通常のダイヤモンドのパビリオンとファセットを代替する反射面３の具体的な形状と構造の設計を、それと組み合わせるシート状ダイヤモンド１のファセットと互いに組み合わせ、対応するようにする。このような具体的な対応方式または具体的にどのように対応するかは、当業者にとって、特定のシート状ダイヤモンド１のファセットの具体的な状況に応じて、それに対応する代替用のダイヤモンドのパビリオンとファセットを設計することによって、本発明の反射面３の具体的な数、形状および構造などを具体的に設計することができる。
【００２０】
上記空洞がテーパー形状であり、上記反射面３がテーパー形状の空洞のテーパー面を構成し、反射シート２の中心がテーパー形状の空洞の頂点を構成し、上記シート状ダイヤモンド１の底面１０がテーパー形状の空洞の底面を構成し、反射面３が反射シート２の中心から放射状に外向きに延びることが好ましい。このように、反射面３は、上記反射シート２でテーパー状に内側へ凹んで分布し、通常のダイヤモンドのパビリオンとファセットの分布を模擬することになる。通常のダイヤモンドは、そのパビリオンがいずれも角錐形状であり、同時に、角錐のテーパー面でダイヤモンドのパビリオンとファセットを構成する。同様に、通常のダイヤモンドのパビリオンを模擬する設計である反射シート２は、その全体構造が角錐形状に設計され、同時に、反射シート２の反射面３を角錐のテーパー面に設計し、反射シート２の中心点が角錐の頂点になる。
【００２１】
上記反射面３が金属反射面であり、反射面３の水平面における投影が三角形及び／又は扇形であることが好ましい。ジュエリーとして、直接貴金属を利用して反射シート２を作製し、反射シート２に明るい金属反射面を加工する。通常金属自身は特別な金属光沢を有し、金属の表面も明るいため、それによって形成される金属反射面は、優れた反射効果を有する。金属反射面とシート状ダイヤモンド１の組み合わせにより、屈折と反射で最終的にダイヤモンドに優れたファイアを持たせる。加工される反射面３の形状は、同様に通常のダイヤモンドのパビリオンとファセットを模擬し、その多くの水平投影が三角形であり、扇形もある。それによって、反射面３は、反射シート２の中心に沿って外向きに放射状に分布し、反射面３が当該中心点に交差する。
【００２２】
上記反射面３が２つ以上であり、隣接する２つの反射面３の間の角度が１２０°〜１４０°であることが好ましい。反射面３は、通常のダイヤモンドのパビリオンとファセットを模擬するものであるため、その数が自然に複数である。隣接する２つの反射面３の間の角度は、反射角度に影響を与え、さらに当該ダイヤモンドジュエリーのファイアに直接影響を与える。同時に、実際の加工において、当該角度の範囲を角度フライスによって制御することができる。
【００２３】
上記反射シート２が嵌め込まれたベースをさらに含むことが好ましい。当該ベースには、反射シート２とシート状ダイヤモンド１などの構造が嵌め込まれ、または固定される。当該ベースの具体的な形状と構造は、シート状ダイヤモンド１の構造に応じて設計されることによって、ベースをシート状ダイヤモンド１に対応させ、シート状ダイヤモンド１と反射シート２の嵌め込みをしやすくする。同時に、上記ベースがフレーム４であり、上記反射シート２が上記フレーム４に嵌め込まれ、上記シート状ダイヤモンド１が反射シート２にも嵌め込まれ、シート状ダイヤモンド１の一部がフレーム４の外部まで突出することが好ましい。上記フレーム４の正面に第二金属反射面６が分布し、第二金属反射面６の水平面における投影が三角形および／または扇形である。すなわち、フレーム４の全体を直接貴金属によって作製し、ダイヤモンドのファセットに近い第二金属反射面６を当該貴金属の表面で加工し、第二金属反射面６の水平面における投影が三角形および／または扇形である。これらの第二金属反射面６を利用してダイヤモンドのファイアを反射することによって、ジュエリー全体がより目を奪うほど明るく、多様な姿を有してきれいになる。
【００２４】
上記フレーム４には、上記シート状ダイヤモンド１を固定するための固定爪５が設けられ、上記固定爪５は、シート状ダイヤモンド１の周囲に位置することが好ましい。固定爪５の数は、３つであることが好ましい。３つの固定爪５を設計することによって、必要とされる固定効果を達成することができ、同時に固定爪５の数が過多になりダイヤモンドジュエリー全体のファイア効果に影響を与えることもない。
【００２５】
本発明は、ＣＮＣ数値制御技術を利用し、シート状ダイヤモンドの形状に対応する金属反射シートで通常のダイヤモンドのパビリオンとファセットを模擬し、反射効果を有するファセットをカットして取得すると同時に、ファセットを有する反射シートをシート状ダイヤモンドの底部に象嵌してシート状ダイヤモンドと一体にする。自然光に照射されながら、反射シートの反射作用により、当該ダイヤモンド構造は、明らかなダイヤモンドのファイアが生じ、比類のない明るい光を放出する。よって、平凡に見えるローズカットのシート状ダイヤモンドは、本物のダイヤモンド同様の視覚効果が生じ、観賞性と経済的価値がさらに向上する。
【００２６】
ここで、上、下、左、右、前、後は、その絶対位置ではなく相対位置のみを表す。以上の記載は、単に本発明の実施例であり、それによって本発明の範囲を限定することはない。本発明の明細書および図面の内容から為した同等構造または同等フローの差し替え、あるいは関連する技術分野に直接または間接的に応用することは、同様にいずれも本発明の特許保護範囲内に含まれる。
【００２７】
（付記）
（付記１）
パビリオンを有しないシート状ダイヤモンドと、ダイヤモンドのパビリオンを模擬する反射シートと、を備え、上記シート状ダイヤモンドが上記反射シートに嵌め込まれ、反射シートの形状がシート状ダイヤモンドの形状に対応することを特徴とするシート状ダイヤモンド象嵌ジュエリー。
【００２８】
（付記２）
上記シート状ダイヤモンドは、底面が平らであり、シート状ダイヤモンドの底部は、平らな面であることを特徴とする付記１に記載のシート状ダイヤモンド象嵌ジュエリー。
【００２９】
（付記３）
上記シート状ダイヤモンドは、クラウンとガードルからなり、クラウンより上がテーブル面であり、ガードルより下が底面であり、底面より下が上記反射シートであることを特徴とする付記２に記載のシート状ダイヤモンド象嵌ジュエリー。
【００３０】
（付記４）
上記シート状ダイヤモンドと反射シートとの間に空洞が形成され、
上記ダイヤモンドのパビリオンを模擬する反射シートには、ダイヤモンドのパビリオンとファセットを模擬する反射面が設けられ、
反射面が空洞に位置し、反射面とシート状ダイヤモンドの底面とで空洞の内壁面を構成することを特徴とする付記１〜３のいずれか１つに記載のシート状ダイヤモンド象嵌ジュエリー。
【００３１】
（付記５）
上記空洞がテーパー形状であり、上記反射面がテーパー形状の空洞のテーパー面を構成し、反射シートの中心がテーパー形状の空洞の頂点を構成し、上記シート状ダイヤモンドの底面がテーパー形状の空洞の底面を構成し、反射面が反射シートの中心から放射状に外向きに延びることを特徴とする付記４に記載のシート状ダイヤモンド象嵌ジュエリー。
【００３２】
（付記６）
上記反射面が金属反射面であり、反射面の水平面における投影が三角形及び／又は扇形であることを特徴とする付記５に記載のシート状ダイヤモンド象嵌ジュエリー。
【００３３】
（付記７）
上記反射面が２つ以上であり、隣接する２つの反射面の間の角度が１２０°〜１４０°であることを特徴とする付記６に記載のシート状ダイヤモンド象嵌ジュエリー。
【００３４】
（付記８）
上記反射シートが嵌め込まれたベースをさらに含むことを特徴とする付記５〜７のいずれか１つに記載のシート状ダイヤモンド象嵌ジュエリー。
【００３５】
（付記９）
上記ベースがフレームであり、上記反射シートが上記フレームに嵌め込まれ、上記シート状ダイヤモンドが反射シートに嵌め込まれ、シート状ダイヤモンドの一部がフレームの外部まで突出し、上記フレームの正面に第二金属反射面が分布し、第二金属反射面の水平面における投影が三角形または扇形であることを特徴とする付記８に記載のシート状ダイヤモンド象嵌ジュエリー。
【００３６】
（付記１０）
上記フレームには、上記シート状ダイヤモンドを固定するための固定爪が設けられ、上記固定爪は、シート状ダイヤモンドの周囲に位置することを特徴とする付記９に記載のシート状ダイヤモンド象嵌ジュエリー。
【符号の説明】
【００３７】
１：シート状ダイヤモンド
２：反射シート
３：反射面
４：フレーム
５：固定爪
６：第二金属反射面
７：テーブル面
８：クラウン
９：ガードル
１０：底面
【図１】
2019022644.tif 000003
【図２】
2019022644.tif 000004
【図３】
2019022644.tif 000005
【図４】
2019022644.tif 000006
【図５】
2019022644.tif 000007
【図６】
2019022644.tif 000008
【図７】
2019022644.tif 000009
【図８】
2019022644.tif 000010
【図９】
2019022644.tif 000011
【図１０】
2019022644.tif 000012